(57)【要約】【課題】洗浄ノズルよりも上方に大気開放された貯留容器及びポンプを配設した場合でも、ポンプ内でのスケールの発生を防止し、ポンプ故障の少ない、長期間、安定して洗浄運転を行うことができる浴槽洗浄装置を提供する。【解決手段】湯水を貯留する大気開放された貯留容器４７と、貯留容器４７内の所定の低水位を検出する低水位検出手段４７２と、洗浄ノズル７と、洗剤タンク４１と、貯留容器４７から供給される湯水と洗剤タンク４１から供給される洗剤とを混合して洗浄水を生成する洗剤混合部５１と、洗浄ノズル７からの湯水及び洗浄水の噴射及び停止を行うポンプ４８と、湯水連絡管６６ｃに設けられた開閉弁４９とを備え、貯留容器４７及びポンプ４８が洗浄ノズル７よりも上方に配設され、低水位検出手段４７２で湯水が検出されていることを条件として、開閉弁４９を閉弁させて、洗浄運転を終了させる。【選択図】図１
2019058224.tif 000002
【特許請求の範囲】
【請求項１】
熱源機から供給される湯水を貯留する大気開放された貯留容器と、
貯留容器内の所定の低水位を検出する低水位検出手段と、
浴槽に設けられた洗浄ノズルと、
洗剤を貯留する洗剤タンクと、
貯留容器から供給される湯水と洗剤タンクから供給される洗剤とを混合して洗浄水を生成する洗剤混合部と、
貯留容器と洗剤混合部とを接続する湯水連絡管と、
洗剤混合部から洗浄ノズルに湯水及び洗浄水を供給する洗浄管と、
湯水連絡管に設けられ、洗浄ノズルからの湯水及び洗浄水の噴射及び停止を行うポンプと、
湯水連絡管の流路を開閉する開閉弁と、
洗浄ノズルから浴槽内に湯水及び洗浄水を噴射させて浴槽を洗浄する洗浄運転を実行する洗浄制御部と、を備え、
貯留容器及びポンプは、洗浄ノズルよりも上方に配設され、
低水位検出手段で湯水が検出されていることを条件として、開閉弁を閉弁させ、洗浄運転を終了させる浴槽洗浄装置。
【請求項２】
請求項１に記載の浴槽洗浄装置において、
洗浄運転中、低水位検出手段で湯水が検出されない場合、ポンプを停止させるとともに、開閉弁を閉弁させ、少なくとも低水位検出手段で湯水が検出されるまで貯留容器に湯水を供給する浴槽洗浄装置。
【請求項３】
請求項１または２に記載の浴槽洗浄装置において、
開閉弁は、ポンプよりも下流側の湯水連絡管に設けられる浴槽洗浄装置。
【請求項４】
請求項１〜３のいずれか１項に記載の浴槽洗浄装置は、さらに、
貯留容器内の所定の高水位を検出する高水位検出手段を備え、
洗浄運転が終了した後、低水位検出手段で湯水が検出されない場合、高水位検出手段で湯水が検出されるまで貯留容器に湯水を供給する浴槽洗浄装置。
【発明の詳細な説明】
【技術分野】
【０００１】
本発明は、浴槽を自動で洗浄する浴槽洗浄装置に関する。
【背景技術】
【０００２】
従来、浴槽内へ洗浄水を噴射させて浴槽の内壁面に付着した汚れを洗い落とす浴槽洗浄装置が知られている。この種の浴槽洗浄装置では、例えば、洗剤と熱源機から供給される湯水とを洗剤混合部で混合させて洗浄水を生成し、洗浄ノズルから浴槽内に向けて洗浄水を噴射させている（例えば、特許文献１）。
【０００３】
ところで、上記のような浴槽洗浄装置において、熱源機から供給される湯水を貯留する貯留容器を設けるとともに、貯留容器よりも下流側の流路にポンプを設け、ポンプによって貯留容器の湯水を洗剤混合部に圧送し、洗浄ノズルから洗浄水を浴槽の所定の噴射位置に噴射させることが考えられる。
【０００４】
しかしながら、洗浄運転中は、貯留容器から洗剤ノズルにポンプを介して湯水が供給されるため、ポンプ内は湯水で満たされている一方、例えば、洗浄ノズルよりも上方に大気開放された貯留容器及びポンプが設けられている場合、洗浄運転が終了して貯留容器への湯水の供給が停止されると、湯水が流れ落ち、ポンプ内が空となる。そのため、洗浄運転の繰り返しによって、ポンプ内で湯水の満水状態と空状態とが交互に繰り返されると、上水に含まれる炭酸カルシウムなどのスケールがポンプ内に析出し、ポンプ流量の変動やポンプの固着などの故障を発生させる虞がある。
【先行技術文献】
【特許文献】
【０００５】
【特許文献１】特開２００３−６１８５０号公報
【発明の概要】
【発明が解決しようとする課題】
【０００６】
本発明は上記課題を解決するものであり、本発明の目的は、洗浄ノズルよりも上方に大気開放された貯留容器及びポンプを配設した場合でも、ポンプ内でのスケールの発生を防止し、ポンプ故障の少ない、長期間、安定して洗浄運転を行うことのできる浴槽洗浄装置を提供することにある。
【課題を解決するための手段】
【０００７】
本発明によれば、
熱源機から供給される湯水を貯留する大気開放された貯留容器と、
貯留容器内の所定の低水位を検出する低水位検出手段と、
浴槽に設けられた洗浄ノズルと、
洗剤を貯留する洗剤タンクと、
貯留容器から供給される湯水と洗剤タンクから供給される洗剤とを混合して洗浄水を生成する洗剤混合部と、
貯留容器と洗剤混合部とを接続する湯水連絡管と、
洗剤混合部から洗浄ノズルに湯水及び洗浄水を供給する洗浄管と、
湯水連絡管に設けられ、洗浄ノズルからの湯水及び洗浄水の噴射及び停止を行うポンプと、
湯水連絡管の流路を開閉する開閉弁と、
洗浄ノズルから浴槽内に湯水及び洗浄水を噴射させて浴槽を洗浄する洗浄運転を実行する洗浄制御部と、を備え、
貯留容器及びポンプは、洗浄ノズルよりも上方に配設され、
低水位検出手段で湯水が検出されていることを条件として、開閉弁を閉弁させ、洗浄運転を終了させる浴槽洗浄装置が提供される。
【０００８】
上記浴槽洗浄装置によれば、貯留容器内の所定の低水位を検出する低水位検出手段と、大気開放された貯留容器よりも下流側に湯水連絡管の流路を開閉する開閉弁とが設けられ、低水位検出手段で湯水が検出されていることを条件に開閉弁を閉弁させて洗浄運転を終了させるから、湯水連絡管の一端が密閉され、湯水連絡管に設けられているポンプ内に湯水を滞留させておくことができる。
【０００９】
好ましくは、上記浴槽洗浄装置において、
洗浄運転中、低水位検出手段で湯水が検出されない場合、ポンプを停止させるとともに、開閉弁を閉弁させ、少なくとも低水位検出手段で湯水が検出されるまで貯留容器に湯水を供給する。
【００１０】
上記浴槽洗浄装置によれば、洗浄運転中、低水位検出手段で湯水が検出されない場合、少なくとも低水位検出手段で湯水が検出されるまで貯留容器に湯水を供給するから、低水位検出手段で湯水が検出される状態を維持しながら、確実に洗浄運転終了の時期を迎えることができる。
【００１１】
好ましくは、上記浴槽洗浄装置において、
開閉弁は、ポンプよりも下流側の湯水連絡管に設けられる。
【００１２】
上記浴槽洗浄装置によれば、開閉弁がポンプよりも下流側の湯水連絡管に設けられているから、例えば、開閉弁の下流の湯水連絡管の管径が大きく、下流端である洗浄ノズルから空気が流入して湯水が抜け落ちやすい場合でも、ポンプ内に湯水を滞留させておくことができる。
【００１３】
好ましくは、上記浴槽洗浄装置は、さらに、
貯留容器内の所定の高水位を検出する高水位検出手段を備え、
洗浄運転が終了した後、低水位検出手段で湯水が検出されない場合、高水位検出手段で湯水が検出されるまで貯留容器に湯水を供給する。
【００１４】
低水位検出手段で湯水が検出されていても、洗浄運転終了時に低水位検出手段で検知される低水位より若干高い程度の水位である場合、開閉弁を閉弁させるまでの間に、所謂、サイホン効果によって、極めて短時間（例えば、１秒間程度）で湯水が抜け落ちてしまう場合がある。
【００１５】
しかしながら、上記浴槽洗浄装置によれば、低水位検出手段で湯水が検出されていたにも関わらず、開閉弁を閉弁させて洗浄運転が終了した後、低水位検出手段で湯水が検出されない場合、高水位検出手段で湯水が検出されるまで貯留容器に湯水が供給されるから、サイホン効果によってポンプ内の湯水が抜け落ちても、再度、ポンプ内に湯水を滞留させておくことができる。
【発明の効果】
【００１６】
以上のように、本発明によれば、洗浄ノズルよりも上方に大気開放された貯留容器及びポンプを配設した場合でも、洗浄運転終了後にポンプ内に確実に湯水を滞留させておくことができるから、ポンプ内でスケールが発生し難い。従って、ポンプ流量の変動やポンプの固着などのポンプ故障を防止でき、長期にわたって安定に洗浄運転を行うことができる。
【図面の簡単な説明】
【００１７】
【図１】図１は、本発明の実施の形態に係る浴槽洗浄装置の一例を示す概略構成図である。
【図２】図２は、本発明の実施の形態に係る浴槽洗浄装置の制御動作の一例を示すフローチャートの一部である。
【図３】図３は、本発明の実施の形態に係る浴槽洗浄装置の制御動作の一例を示すフローチャートの一部である。
【発明を実施するための形態】
【００１８】
以下、図面を参照しながら、本発明の実施の形態に係る浴槽洗浄装置を説明する。
図１は、本実施の形態に係る浴槽洗浄装置の一例を示す概略構成図である。図１に示すように、浴室ＢＲ内には、浴室壁に沿って浴槽１が配設され、浴室ＢＲ外（例えば、屋外）には、熱源機である給湯器６が配設されている。図示しないが、浴槽１は、貯水部を構成する浴槽内周壁と、貯水部の開口縁から全周に亘って外方へ水平に張り出す上縁フランジ部と、浴槽１の外側面を構成するエプロンとを備え、上縁フランジ部の下方には浴槽内空間１０が形成されている。
【００１９】
浴槽１の底部には、浴槽１に貯留された湯水である浴槽水を排水するための排水栓２と、湯水や洗浄水を噴射する洗浄ノズル７とが設けられている。図示しないが、洗浄ノズル７は、洗浄管４３を介して供給される湯水や洗浄水を浴槽１の貯水部の内周面全域に亘って放射状に噴射する噴射口を備える。この噴射口は、湯水や洗浄水の流量に応じて、湯水や洗浄水の噴射位置が貯水部の内周面の上下域に変動するように構成されている。浴槽１の上縁フランジ部には、排水スイッチ５が設けられており、排水スイッチ５は、上縁フランジ部の下方に設けられた排水栓２を開閉する排水栓コントローラ５０と接続されている。従って、使用者が排水スイッチ５を操作したり、後述するリモコンＲの洗浄スイッチを操作したりすると、排水栓２が開栓され、浴槽１内の浴槽水が排水される。
【００２０】
図示しないが、給湯器６は、ガスバーナと、給湯熱交換器とを備える。ガスバーナには、ガス供給管７８が接続されている。給湯熱交換器には、給水源から上水を供給するための給水管６３と、カランやシャワーなどの給湯栓６５や後述する本体ユニット４に給湯器６から加熱された湯水を供給する給湯管６６とが接続されている。給湯器６内には、給湯器６の運転を制御する給湯器コントローラ６０が組み込まれており、給水管６３に設けられた給水センサや給湯管６６に設けられた給湯温度センサなどの各種センサ、給水管６３、給湯管６６、及びガス供給管７８に設けられた各種制御弁、点火装置、電源ボックスや、給湯器用のリモコンは、給湯器コントローラ６０と接続されている。なお、本実施の形態では、給湯器６は給湯熱交換器のみを有するが、浴槽１に循環金具を設けるとともに、給湯器６に給湯熱交換器及び風呂熱交換器を設け、追焚き機能を有する給湯器を用いてもよい。また、電気式給湯器やヒートポンプ式給湯器を用いてもよい。
【００２１】
給水管６３及び給湯管６６はそれぞれ、給湯栓６５側と浴室ＢＲの天井裏に配設された本体ユニット４側とに分岐している。給水管６３及び給湯管６６からそれぞれ本体ユニット４側に分岐する湯水タンク４７よりも上流側の第１温調用給水管６３ａ及び第１湯水供給管６６ａには、逆止弁７１，７２と、湯水混合部８０とが接続されている。より詳細には、湯水混合部８０は、第１温調用給水管６３ａに上流側から順に介設された、給水温センサ８１、水量センサ８３、及び水量調整弁８５と、第１湯水供給管６６ａに上流側から順に介設された、湯温センサ８２、湯量センサ８４、及び湯量調整弁８６とを備える。また、逆止弁７１，７２近傍の第１温調用給水管６３ａ及び第１湯水供給管６６ａの配管周囲にはそれぞれ、凍結防止用ヒータ７３，７４が配設されている。第１温調用給水管６３ａ及び第１湯水供給管６６ａは、水量調整弁８５及び湯量調整弁８６の下流側で合流して、１つの第２湯水供給管６６ｂを構成している。第２湯水供給管６６ｂには、温度センサ７５が介設されている。
【００２２】
第２湯水供給管６６ｂは、補水用電磁弁（補水弁）４６を介して、貯留容器である湯水タンク４７に接続されている。また、湯水混合部８０と湯水タンク４７とを接続する第２湯水供給管６６ｂからは、湯張り用湯水供給管６６ｄが分岐しており、湯張り用湯水供給管６６ｄは、湯張り用電磁弁９０を介して、浴槽１の上方に位置する框水栓７９と接続されている。第２湯水供給管６６ｂの分岐部と湯張り用電磁弁９０との間の湯張り用湯水供給管６６ｄの配管周囲には、凍結防止用ヒータ７６が配設されている。
【００２３】
図示しないが、湯水タンク４７の上部には、第２湯水供給管６６ｂから供給される湯水が吐出する補水口と、補水口よりも下方に位置するオーバーフロー口とが設けられている。また、湯水タンク４７の底部には、流出口が設けられており、流出口には、ポンプ４８に湯水を供給するための湯水連絡管６６ｃが接続されている。さらに、オーバーフロー口には、浴槽パン内に大気開放された状態で延設されたオーバーフロー管６８が接続されている。従って、湯水タンク４７は大気開放されるとともに、補水口とオーバーフロー口との間には吐水口空間が形成されており、第２湯水供給管６６ｂは湯水タンク４７によって湯水タンク４７よりも下流側の流路と縁切りされている。このため、湯水タンク４７は、逆流防止手段として機能する。
【００２４】
湯水タンク４７内には、貯留されている湯水の量を検出するための長さの異なる高水位電極（高水位検出手段）４７１、低水位電極（低水位検出手段）４７２、及びアース電極４７３が挿入されている。高水位電極４７１は、湯水タンク４７内に湯水が貯留された際、下端がオーバーフロー口よりも下方に位置するように配設されている。高水位電極４７１及び低水位電極４７２はそれぞれ、水位が所定の高低水位に達するとオンとなり、所定の高低水位に満たないとオフとなる。
【００２５】
湯水タンク４７と洗剤混合部５１とを接続する湯水連絡管６６ｃには、上流側から順に、ポンプ４８と、開閉電磁弁（開閉弁）４９とが介設されている。ポンプ４８を駆動及び停止させるとともに、開閉電磁弁４９を開弁及び閉弁させることにより、湯水タンク４７から洗浄水生成ユニット３へ湯水が供給及び停止され、それによって洗浄ノズル７から湯水や洗浄水の噴射及び停止が行われる。また、ポンプ４８の回転数を制御することにより、洗浄ノズル７から噴射される湯水や洗浄水の流量が調整される。
【００２６】
図示しないが、本体ユニット４は、上記した湯水混合部８０、湯水タンク４７、ポンプ４８等の各構成部品が収容されたケーシングを備え、ケーシング内の湯水混合部８０の近傍には、ケーシング内の温度を検出する低温感知用温度センサ７７が配設されている。また、既述した給水温センサ８１、湯温センサ８２、水量センサ８３、湯量センサ８４、水量調整弁８５、湯量調整弁８６、凍結防止用ヒータ７３，７４，７６、温度センサ７５、低温感知用温度センサ７７、補水用電磁弁４６、ポンプ４８、開閉電磁弁４９、湯張り用電磁弁９０、湯水タンク４７内の電極４７１，４７２，４７３は、ケーシング内に設けられた本体ユニットコントローラ４０と電気配線を介して接続されている。さらに、本体ユニットコントローラ４０は、後述する洗浄ユニットコントローラ３０、リモコンＲや、図示しない電源ボックスと電気配線を介して接続されている。
【００２７】
浴槽１の上縁フランジ部の下方に位置する浴槽内空間１０には、洗浄水生成ユニット３を構成する、洗剤を貯留する洗剤タンク４１と、ベンチュリ式の洗剤混合部５１と、洗剤タンク４１からの洗剤を洗剤混合部５１に導く洗剤導入管４４とが配設されており、洗剤導入管４４には、洗剤混合部５１への洗剤の供給を調整する第１及び第２洗剤弁４２ａ，４２ｂが介設されている。洗剤混合部５１と洗浄ノズル７とは、洗浄管４３を介して接続されている。なお、浴槽内空間１０の大きさ等に応じて、洗剤タンク４１、第１及び第２洗剤弁４２ａ，４２ｂ、並びに洗剤混合部５１を浴槽内空間１０内でそれぞれ離間させて配設してもよい。
【００２８】
天井裏の本体ユニット４と、浴室ＢＲ内の洗浄水生成ユニット３とは、浴槽１の一側方の浴室壁を貫通する湯水連絡管６６ｃによって接続されている。より詳細には、湯水連絡管６６ｃは、本体ユニット４の開閉電磁弁４９と、洗浄水生成ユニット３の洗剤混合部５１とに接続されている。従って、第１及び第２洗剤弁４２ａ，４２ｂが開弁された状態で、ポンプ４８を駆動させるとともに、開閉電磁弁４９を開弁させて、湯水タンク４７に貯留された湯水を湯水連絡管６６ｃを介して洗剤混合部５１に供給すると、湯水が洗剤混合部５１を通過する際に生じる負圧によって、洗剤と湯水とが混合されて洗浄水が生成され、洗浄管４３を通って、洗浄ノズル７から洗浄水が噴射され、浴槽１の洗浄が行われる。また、第１及び第２洗剤弁４２ａ，４２ｂが閉弁された状態で、同様にポンプ４８を駆動させるとともに、開閉電磁弁４９を開弁させて、湯水タンク４７に貯留された湯水を湯水連絡管６６ｃから洗剤混合部５１に供給すると、洗浄ノズル７から湯水のみが噴射され、浴槽１の予備洗浄やすすぎが行われる。
【００２９】
図示しないが、洗浄水生成ユニット３は、上記した洗剤混合部５１や第１及び第２洗剤弁４２ａ，４２ｂが収容されたケーシングを備える。また、洗浄水生成ユニット３には、洗浄ユニットコントローラ３０が組み込まれており、既述した第１及び第２洗剤弁４２ａ，４２ｂや図示しない洗剤タンク４１の電極は、洗浄ユニットコントローラ３０と電気配線を介して接続されている。さらに、洗浄ユニットコントローラ３０は、電気配線を介して排水栓コントローラ５０及び本体ユニットコントローラ４０と接続されている。なお、洗剤混合部５１は、負圧によって洗剤と湯水とを混合するものだけでなく、洗剤と湯水とを撹拌混合させる撹拌容器を用いてもよい。
【００３０】
浴室ＢＲ内には、湯張り運転及び洗浄運転用のリモコンＲが配設されている。リモコンＲには、運転スイッチ１０１、湯張り運転を行う湯張りスイッチ１０２、洗浄運転を行う洗浄スイッチ１０３、洗浄運転終了後に、湯張り運転を行う洗浄・湯張りスイッチ１０４、湯張り温度を設定する湯張り温度設定スイッチ１０５、さし湯やさし水運転を開始及び停止させるさし湯及びさし水スイッチ１０６、洗浄コースを選択する洗浄コース設定スイッチ１０７、タイマスイッチ１０８、及び運転状態や設定温度が表示される表示部１１０などが設けられている。また、図示しないが、リモコンＲは、本体ユニットコントローラ４０と電気配線を介して接続されており、洗浄ユニットコントローラ３０や排水栓コントローラ５０と本体ユニットコントローラ４０を介して接続されている。各コントローラは、ＣＰＵ、ＲＯＭ、ＲＡＭを備えるマイクロコンピュータから構成されている。
【００３１】
図示しないが、給湯器コントローラ６０には、給湯器６の給湯運転を制御する給湯制御回路が組み込まれており、本体ユニットコントローラ４０には、洗浄運転を制御する洗浄制御回路（洗浄制御部）が組み込まれている。また、洗浄制御回路は、機能的構成手段として、ポンプ４８を所定の回転数で駆動するポンプ駆動部、補水用電磁弁４６及び開閉電磁弁４９の開閉や水量調整弁８５及び湯量調整弁８６の開度を制御する弁駆動部、高低水位電極４７１，４７２のオンオフにより、湯水タンク４７内の水位を判定する水位判定部、洗浄運転の各工程における実行時間を計時する計時部とを備える。さらに、本体ユニットコントローラ４０のメモリには、洗浄運転を実行するプログラムや各種設定値が格納されている。
【００３２】
次に、図２〜図３を参照して、本実施の形態の浴槽洗浄装置における洗浄運転の制御動作について説明する。洗浄運転では、洗浄ノズル７から洗浄水を噴射させる洗浄工程及び洗浄ノズル７から湯水のみを噴射させるすすぎ工程が少なくとも実行されるが、以下では最終工程であるすすぎ工程以降の制御動作について説明する。なお、給湯器６は、給水管６３に設けられた給水センサ（図示せず）で検出される水量が所定水量以上になるとガスバーナを点火させ、給水センサで検出される水量が所定水量未満になるとガスバーナを消火させる点消火制御を行うように構成されている。
【００３３】
例えば、所定の洗浄時間が経過して、洗浄工程が終了し、すすぎ工程に移行すると、高水位電極４７１がオンになっているかどうかが判定される。高水位電極４７１がオンとなっている場合、補水用電磁弁４６を開弁させるとともに、開閉電磁弁４９を開弁させ、さらに所定の流量が得られるようにポンプ４８を所定の回転数で駆動させ、所定のすすぎ時間ｄ（例えば、９０秒間）を計時するために、タイマｔｄをスタートさせる。これにより、洗浄ノズル７から浴槽１内に湯水のみが噴射されて、洗浄工程で噴射された浴槽１の内壁面に付着している洗浄水が洗い流される。一方、高水位電極４７１がオフである場合、補水用電磁弁４６を開弁させ、高水位電極４７１がオンになるまで、湯水タンク４７に湯水が供給される。そして、高水位電極４７１がオンとなると、上記と同様にして、開閉電磁弁４９を開弁させるとともに、ポンプ４８を所定の回転数で駆動させ、タイマｔｄをスタートさせる（ステップＳＴ１〜ＳＴ７）。なお、本実施の形態では、すすぎ工程中、補水用電磁弁４６は開弁状態で維持されるが、湯水タンク４７の容量に応じて開閉制御してもよい。
【００３４】
すすぎ工程の実行中、低水位電極４７２がオフとなると、一旦、ポンプ４８を停止させるとともに、開閉電磁弁４９を閉弁及びタイマｔｄを中断させ、湯水タンク４７内の湯水を増加させる。これにより、湯水タンク４７内に常時、湯水が貯留している状態ですすぎ工程を実行することができるから、湯水連絡管６６ｃ内への空気の侵入を防止できる。そして、高水位電極４７１がオンになると、再度、開閉電磁弁４９を開弁させるとともに、ポンプ４８を駆動及びタイマｔｄを再開させて、洗浄ノズル７から湯水を噴射させる（ステップＳＴ８〜ＳＴ１２及びＳＴ５〜ＳＴ７）。なお、本実施の形態では、高水位電極４７１がオンになると、開閉電磁弁４９を開弁させているが、少なくとも低水位電極４７２がオンしていればよい。
【００３５】
低水位電極４７２がオンしている状態ですすぎ時間ｄが経過すれば、ポンプ４８を停止させ、開閉電磁弁４９を閉弁させて、洗浄運転を終了させる（ステップＳＴ１３〜ＳＴ１５）。すなわち、低水位電極４７２がオンとなっていることを条件として、開閉電磁弁４９を閉弁させて、洗浄運転を終了させる。
【００３６】
上記のようにして洗浄運転が終了すると、再度、低水位電極４７２がオンとなっているかどうかが判定され、低水位電極４７２がオフとなっている場合、補水用電磁弁４６を開弁させて高水位電極４７１がオンとなるまで湯水タンク４７に湯水が供給された後、補水用電磁弁４６を閉弁させる（ステップＳＴ１６〜ＳＴ１９）。
【００３７】
以上詳細に説明したように、上記浴槽洗浄装置によれば、低水位電極４７２で湯水が検出されていることを条件に開閉電磁弁４９を閉弁させて、洗浄運転を終了させるから、洗浄運転の終了時には、湯水連絡管６６ｃに設けられているポンプ４８内に湯水を滞留させておくことができる。従って、上記浴槽洗浄装置では、洗浄ノズル７よりも上方に大気開放された湯水タンク４７及びポンプ４８が配設されているが、ポンプ４８内に確実に湯水を滞留させておくことができるから、ポンプ４８内でスケールが発生し難い。これにより、ポンプ流量の変動や固着などのポンプ故障を防止でき、長期にわたって安定に洗浄運転を行うことができる。
【００３８】
また、上記浴槽洗浄装置によれば、洗浄運転中、低水位電極４７２で湯水が検出されない場合、少なくとも低水位電極４７２で湯水が検出されるまで湯水タンク４７に湯水を供給するから、低水位電極４７２で湯水が検出される状態を維持しながら、確実に洗浄運転終了の時期を迎えることができる。
【００３９】
また、上記浴槽洗浄装置によれば、開閉電磁弁４９がポンプ４８よりも下流側の湯水連絡管６６ｃに設けられているから、例えば、開閉電磁弁４９の下流の湯水連絡管６６ｃの管径が大きく、下流端である洗浄ノズル７から空気が流入して湯水が抜け落ちやすい場合でも、ポンプ４８内に湯水を滞留させておくことができる。
【００４０】
また、上記浴槽洗浄装置によれば、洗浄運転の終了後に低水位電極４７２で湯水が検出されるかどうかを判定するから、開閉電磁弁４９を閉弁させるまでに、湯水タンク４７内に残っていた少量の湯水がサイホン効果により抜け落ちたかどうかを確認することができる。そして、洗浄運転の終了後に低水位電極４７２で湯水が検出されない場合、湯水タンク４７に高水位電極４７１で湯水が検出されるまで湯水を供給するから、次の洗浄運転が開始されるまでポンプ４８内に確実に湯水を滞留させておくことができる。
【００４１】
なお、冬期において温度が低下すると、配管内の湯水が凍結しやすい。このため、低温感知用温度センサ７７で所定の凍結危険温度以下が検知された場合、開閉電磁弁４９を開弁させて、ポンプ４８内を含む湯水連絡管６６ｃの水抜きが行われるが、上記浴槽洗浄装置では、ポンプ４８及び湯水タンク４７が洗浄ノズル７よりも上方に設けられているため、容易に水抜きを行うことができる。
【００４２】
７              洗浄ノズル
４１            洗剤タンク
４３            洗浄管
４６            補水用電磁弁（補水弁）
４７            湯水タンク（貯留容器）
４８            ポンプ
４９            開閉電磁弁（開閉弁）
５１            洗剤混合部
６６ｃ          湯水連絡管
４７１          高水位電極（高水位検出手段）
４７２          低水位電極（低水位検出手段）
【図１】
2019058224.tif 000003
【図２】
2019058224.tif 000004
【図３】
2019058224.tif 000005